Podtech/llm-jp-corpus-v4-ja_patent huggingface dataset:
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
内径と外径とを有する、ダイヤモンドパターン付管状プリーツフィルター要素であって、
該ダイヤモンドパターン付管状プリーツフィルター要素の前記外径の前記内径に対する比率が約１．５〜約２．５であり、前記ダイヤモンドパターン付管状プリーツフィルター要素は、不織布材料を含む濾材の少なくとも１つの層を備える、ダイヤモンドパターン付管状プリーツフィルター要素。
【請求項２】
少なくとも１個のフィルターカートリッジを収容するための内部スペースと、少なくとも１つの流体入口と、少なくとも１つの流体出口と、を有する第１の構造体と、
前記第１の構造体内に位置付けられて前記第１の構造体内部に少なくとも１個のフィルターカートリッジを実装するための第２の構造体と、を備え、該第２の構造体が、前記少なくとも１個のフィルターカートリッジのラグと係合するように構成された少なくとも１つの傾斜面を備える、フィルターハウジング。
【請求項３】
少なくとも２つの傾斜面を備えるフィルターカートリッジハウジングに位置付けられることができるプラグベースと、
フィルターカートリッジに連結される開口端部キャップであって、該開口端部キャップ上に位置付けられる密閉構造体と、前記少なくとも２つの傾斜面と係合するように構成された少なくとも２個のラグと、を備える開口端部キャップと、
を備えるフィルターカートリッジ密封装置。
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
刃アセンブリと、
前記刃アセンブリを回転させるモータと、
前記モータに接続され、メモリユニットを有するプロセッサと、
前記プロセッサに接続され、１以上の混合シーケンスを作成する設定スイッチと、を備え、
前記プロセッサは、記録モードまたは再生モードに設定され、
前記プロセッサが前記記録モードに設定される場合、前記プロセッサは前記混合シーケンスを前記メモリユニットに記憶し、
前記プロセッサが前記再生モードに設定される場合、前記プロセッサは前記記憶された混合シーケンスに応じて前記モータを制御することを特徴とする記録および再生機能を備えるミキサ。
【請求項２】
前記プロセッサに接続され、前記記録および再生モードのいずれかを選択する記録／再生スイッチを備えることを特徴とする請求項１に記載のミキサ。
【請求項３】
前記プロセッサに接続され、前記記録モード中に前記混合シーケンスが記憶される前記メモリユニット内のメモリ位置を選択的に特定するプログラム選択スイッチを備えることを特徴とする請求項２に記載のミキサ。
【請求項４】
前記プロセッサに接続され、前記再生モード中に前記混合シーケンスが読み出される前記メモリユニット内のメモリ位置を特定するプログラム選択スイッチを備えることを特徴とする請求項２に記載のミキサ。
【請求項５】
前記プロセッサとの通信に用いられ、少なくとも一人のユーザが要求する機能を有する遠隔演算装置を備え、
前記プロセッサは、前記少なくとも１つの機能が前記演算装置で要求された場合に、前記１以上の混合シーケンスのうちの少なくとも１つを前記遠隔演算装置に転送することを特徴とする請求項１に記載のミキサ。
【請求項６】
前記遠隔演算装置は、前記少なくとも１つの転送された混合シーケンスの特定の部分を選択する入力装置を備えることを特徴とする請求項５に記載のミキサ。
【請求項７】
前記遠隔演算装置は、別の前記少なくとも一人のユーザが要求する機能が実行されると、前記選択された混合シーケンスの部分を修正することを特徴とする請求項６に記載のミキサ。
【請求項８】
データインターフェースを備え、
前記遠隔演算装置は、データインターフェースを通して前記プロセッサと通信することを特徴とする請求項５に記載のミキサ。
【請求項９】
ユーザが調整可能な特徴をミキサに与えるステップと、
前記ミキサを記録モードに設定するステップと、
混合シーケンスを作成するために、前記調整可能な特徴の少なくとも１つを調整するステップと、
前記ミキサのメモリに前記混合シーケンスを記録するステップと、を備えることを特徴とするメモリを備えるミキサに混合シーケンスを記録する方法。
【請求項１０】
前記調整するステップの後に、前記記録するステップを開始するために開始スイッチを作動させるステップを備えることを特徴とする請求項９に記載の方法。
【請求項１１】
前記記録するステップの後に、前記記録するステップを終了するために前記開始スイッチを作動させるステップを備えることを特徴とする請求項１０に記載の方法。
【請求項１２】
前記調整するステップの前に行われ、前記混合シーケンスが記憶されるメモリユニット内のメモリ位置を選択するステップを備えることを特徴とする請求項９に記載の方法。
【請求項１３】
ミキサを再生モードに設定するステップと、
前記ミキサに記憶された混合シーケンスを選択するステップと、
前記選択するステップで選択された混合シーケンスを自動的に再生するステップと、を備えることを特徴とする再生モードを備えるミキサで混合シーケンスを再生する方法。
【請求項１４】
前記選択するステップの後に、前記再生するステップを開始するために開始スイッチを作動させるステップを備えることを特徴とする請求項１３に記載の方法。
【請求項１５】
前記混合シーケンスの自動的な再生を終了するために、前記開始スイッチを作動させるステップを備えることを特徴とする請求項１４に記載の方法。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
過膨張肺区画を孤立させ且つ空気抜きするためのカテーテルであって、
遠位端、近位端、前記遠位端から前記近位端まで延びる少なくとも１つの管腔を有するカテーテル本体を含み、前記カテーテル本体の少なくとも遠位部分は前記肺の前記気道の中を進められるようになっており、
前記カテーテル本体の遠位端の近くに配置された膨張可能閉塞部材を含み、前記閉塞部材は、前記閉塞部材が膨張されるとき、前記区画へのアクセスが前記管腔を通ってのみなされるように前記過膨張肺区画に空気を送る気道内で膨張されるようになっており、
遠位から近位の方向の流れが許され、近位から遠位の方向の流れが妨げられ又は阻止されるように前記管腔内又は前記管腔と一直線に並んで配置されるようになっている一方向流れ要素を含む、前記カテーテル。
【請求項２】
前記カテーテル本体は、２０ｃｍから２００ｃｍまでの範囲の長さ及び遠位端の近くで０．１ｍｍから１０ｍｍまでの範囲の直径を有する、請求項１に記載のカテーテル。
【請求項３】
前記膨張可能閉塞部材は、可膨張性バルーン、カフ又は編組バルーンである、請求項１に記載のカテーテル。
【請求項４】
前記膨張可能閉塞部材は、完全に膨張されたときに１ｍｍから３０ｍｍまでの範囲の幅を有する、請求項１に記載のカテーテル。
【請求項５】
前記一方向流れ要素は、前記管腔内に配置される、請求項１に記載のカテーテル。
【請求項６】
前記一方向流れ要素は、前記カテーテル本体の前記遠位端の近くで前記管腔内に配置される、請求項５に記載のカテーテル。
【請求項７】
前記カテーテル本体の近位端に配置されたハブをさらに含む、請求項１に記載のカテーテル。
【請求項８】
前記一方向流れ要素は、前記ハブ内に配置される、請求項７に記載のカテーテル。
【請求項９】
前記ハブは取り外し可能であり且つ前記管腔と一直線に並んで取付けることができる、請求項８に記載のカテーテル。
【請求項１０】
過膨張肺区画を孤立させ且つ空気抜きするためのカテーテルであって、
遠位端、近位端、前記遠位端から前記近位端まで延びる少なくとも１つの管腔を有するカテーテル本体を含み、前記カテーテル本体の少なくとも遠位部分は前記肺の前記気道の中を進まされるようになっており、
前記カテーテル本体の遠位端の近くに配置された膨張可能閉塞部材を含み、前記閉塞部材は、前記閉塞部材が膨張されるとき、前記区画へのアクセスが前記管腔を通ってのみなされるように前記過膨張肺区画に空気を送る気道内で膨張されるようになっており、
前記カテーテルは、遠位から近位の方向の流れを許し、近位から遠位の方向の流れが妨げられ又は阻止されるように前記管腔と一直線に並んだ一方向流量制御組立体を含むコンソールに接続するよう構成されていることを特徴とする、前記カテーテル。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
１つ以上の閉じられていないメビウスループを備えている三次元血管内コイル。
【請求項２】
巻き付けパターンに適合するように偏倚されたコイル長さを有しているコイルを備えてなり、前記巻き付けパターンは、球体の外側表面の形状にほぼ適合しており、前記巻き付けパターンには、その形状を覆うように配置された、少なくとも１つの閉じられていないメビウスループがあるインプラント。
【請求項３】
前記巻き付けパターンには、その形状を覆うように配置された、複数の閉じられていないメビウスループがある請求項２に記載のインプラント。
【請求項４】
前記巻き付けパターンは、前記形状を覆うように配置された８つの実質的三角形部分をさらに備えている請求項２に記載のインプラント。
【請求項５】
前記三角形には中心があり、かつ、４つの三角形には、前記中心から外方へ離れるように湾曲している側面がある請求項４に記載のインプラント。
【請求項６】
前記三角形には中心があり、かつ、４つの三角形には、前記中心へ向かって内方へ湾曲している側面がある請求項４に記載のインプラント。
【請求項７】
前記巻き付けパターンは、少なくとも第１型曲線および第２型曲線を有している少なくとも１つのループをさらに備え、前記第１型曲線は、球体の形状に対応しており、前記第２型曲線は、少なくとも１つのループの通路に沿って配置された８つの実質的三角形部分に対応する複数の曲線を備えている請求項２に記載のインプラント。
【請求項８】
前記コイルは、血管部位へ実質的に適合している請求項１または２に記載のインプラント。
【請求項９】
前記コイルは、金属ワイヤからなっている請求項１または２に記載のインプラント。
【請求項１０】
前記ワイヤは、白金、パラジウム、ロジウム、レニウム、イリジウム、金、銀、タングステン、タンタル、これらの金属の２つ以上からなる合金、あるいは超弾性金属から構成される群から選択された金属からなっている請求項９に記載のインプラント。
【請求項１１】
前記ワイヤは、白金合金である請求項１０に記載のインプラント。
【請求項１２】
表面に配置された４つのマーカーを有している球体であって、それぞれのマーカーが前記球体の前記表面に当接する円筒によって画定されている球体を備え、
前記マーカーどうしの間における前記球体の前記表面は、前記球体の前記表面に十字状に交差する巻き付けパターンと、隣接する前記マーカーどうしの間における前記球体の前記表面に前記巻き付けパターンの複数の交差点を画定する複数の中間点とを画定しているマンドレル。
【請求項１３】
前記４つのマーカーのうちの１つから延出している軸部をさらに備えている請求項１２に記載のマンドレル。
【請求項１４】
このマンドレルは、約０．５〜約０．７５の、球体直径に対するマーカー直径の比を有している請求項１３に記載のマンドレル。
【請求項１５】
前記の比は、約０．５５〜約０．７である請求項１４に記載のマンドレル。
【請求項１６】
前記の比は、約０．６１〜約０．６５である請求項１５に記載のマンドレル。
【請求項１７】
前記マーカーは、前記マーカーの半径方向の一番端にキャップを備えている請求項１２に記載のマンドレル。
【請求項１８】
前記キャップは、前記マーカーの外径よりも大きい外径を有している請求項１７に記載のマンドレル。
【請求項１９】
前記マーカーのそれぞれは、前記球体の中心を通る軸を画定している請求項１２に記載のマンドレル。
【請求項２０】
前記軸部を有している前記マーカーの前記軸は、他の３つの軸に比べて約１９．５度の傾斜がある請求項１９に記載のマンドレル。
【請求項２１】
前記残りの３つの軸は、互いに対して約１２０度の水平角がある請求項２０に記載のマンドレル。
【請求項２２】
マンドレルによりコイルを形成する方法であって、
初めの巻き付けを形成するために、前記マンドレルのマーカーの周りに前記コイルを巻き付けるステップ、および
前記コイルを前記マンドレルの前記表面に配置された４つのマーカーのそれぞれの間で前記マンドレルの前記表面に十字状に交差させて巻き付け、少なくとも１つの閉じられていないメビウスループを設けるステップを、備えてなり、前記巻き付けステップは、隣接する２つのマーカーのそれぞれの間に前記マンドレル中間点の外側表面に配置された複数の中間点のそれぞれを越えて前記コイルを交差させることを含んでいるコイルを形成する方法。
【請求項２３】
前記マンドレルと前記マンドレルの周りに巻き付けられた前記コイルとを加熱するステップをさらに備えている請求項２２に記載の方法。
【請求項２４】
前記コイルを前記マンドレルから取り外すステップをさらに備えている請求項２３に記載の方法。
【請求項２５】
前記コイルは、複数の閉じられていないメビウスループを設けるために、巻き付けられる請求項２２に記載の方法。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
ある軸に沿って配置された管腔を画定しており、近位開口を画定する近位端と遠位開口を画定する遠位端とを有している一次コイルと、
前記近位開口をさらに画定し、前記一次コイルと同軸であり、かつ、遠位端および近位端を有している二次コイルと、
前記管腔の内部に配置された耐伸張性部材と、
前記近位開口に交差する中心軸を有し、前記管腔の内部で前記耐伸張性部材へ接続され、かつ、前記管腔の外部に係合部分を有している部材であって、前記係合部分とこの部材とが前記管腔の中へ遠位方向に動くことのでき、この部材が前記二次コイルに対して自由に動くことができる部材と、および
前記遠位開口に係合しており、かつ、前記管腔の内部で前記耐伸張性部材へ連結された保持具とを備えてなるインプラント。
【請求項２】
前記係合部分と前記部材とは、前記管腔の中へ完全に遠位方向に動くことができる請求項１に記載のインプラント。
【請求項３】
前記部材が前記一次コイルに対して自由に動くことができる請求項１に記載のインプラント。
【請求項４】
前記一次コイルは、ある外径およびある内径を有し、前記二次コイルは、前記一次コイルの前記内径以下の外径を有している請求項１に記載のインプラント。
【請求項５】
前記一次コイルの前記近位端は、前記二次コイルの前記遠位端に隣接しているかまたはそれを部分的に包囲している請求項１に記載のインプラント。
【請求項６】
前記一次コイルおよび前記二次コイルは、独立して金属ワイヤから構成されている請求項１に記載のインプラント。
【請求項７】
前記一次コイルの前記ワイヤは、白金、パラジウム、ロジウム、レニウム、イリジウム、金、銀、タングステン、タンタル、これらの金属の２つ以上の合金、または超弾性金属からなる群から選択された金属から構成されている請求項６に記載のインプラント。
【請求項８】
前記一次コイルの前記ワイヤは、白金合金である請求項７に記載のインプラント。
【請求項９】
前記一次コイルおよび前記二次コイルは、それ自体が巻かれ、かつ、二次的形状に設定された一次らせんから構成されている請求項１に記載のインプラント。
【請求項１０】
前記二次的形状は、らせん形、球形、立方体、および三次元空間充填形状から選択されている請求項９に記載のインプラント。
【請求項１１】
前記耐伸張性部材は、ポリマーから構成されている請求項１に記載のインプラント。
【請求項１２】
前記ポリマーは、生物分解性または生物非分解性である請求項１１に記載のインプラント。
【請求項１３】
前記ポリマーは、ポリプロピレンである請求項１２に記載のインプラント。
【請求項１４】
前記耐伸張性部材は、生体活性コーティングからさらに構成されている請求項１１に記載のインプラント。
【請求項１５】
前記生体活性コーティングは、成長因子、遺伝子、オリゴヌクレオチド、ペブチド、マリンバイオポリマー、単糖類、二糖類、多糖類、コラーゲンおよびこれらの組み合わせからなる群から選択されている請求項１４に記載のインプラント。
【請求項１６】
複数本のファイバー
をさらに備えている請求項１に記載のインプラント。
【請求項１７】
前記ファイバーは、前記一次コイルおよび／または前記二次コイルの周りに少なくとも１回、巻き付けられている請求項１６に記載のインプラント。
【請求項１８】
それぞれのファイバーは、前記耐伸張性部材の周りに少なくとも１回、巻き付けられている請求項１６に記載のインプラント。
【請求項１９】
それぞれのファイバーは、少なくとも２回、巻き付けられている請求項１７または請求項１８に記載のインプラント。
【請求項２０】
前記ファイバーは、グリコール酸および乳酸のコポリマーから構成されている請求項１６に記載のインプラント。
【請求項２１】
前記ファイバーは、生体活性コーティングからさらに構成されている請求項２０に記載のインプラント。
【請求項２２】
前記コーティングは、滑らかな親水性コーティングまたは疎水性コーティングのいずれか一方である請求項２１に記載のインプラント。
【請求項２３】
前記コーティングは、乳酸およびグリコール酸のコポリマーから構成されている請求項２１に記載のインプラント。
【請求項２４】
前記ファイバーは、生物分解性ポリマーから構成されている請求項１６に記載のインプラント。
【請求項２５】
前記生物分解性ポリマーは、ポリグリコール酸、ポリカプロラクトン、ポリヒドロキシ酪酸バレレート、ポリオルソエステル、ポリ乳酸、ポリ（パラ−ジオキサノン）、ポリ（バレロラクトン）、ポリ（タートロン酸）、ポリ（ベータ−マロン酸）、ポリ（プロピレンフマール酸）、ポリ（無水物）、およびチロシン基ポリカーボネートからなる群から選択されている請求項２４に記載のインプラント。
【請求項２６】
前記ポリマーは、ポリグリコール酸およびポリ乳酸であり、かつ、９９：１、９５：５、９０：１０、５０：５０、１０：９０、５：９５または１：９９から選定されたポリグリコール酸：ポリ乳酸の比で存在している請求項２５に記載のインプラント。
【請求項２７】
前記保持具は、前記一次コイルの前記管腔の外部である部分を有している請求項１に記載のインプラント。
【請求項２８】
前記外部である部分は、丸みを帯びた形状を有している請求項２７に記載のインプラント。
【請求項２９】
前記保持具は、ポリマーから構成されている請求項１に記載のインプラント。
【請求項３０】
前記ポリマーは、ポリプロピレンである請求項２９に記載のインプラント。
【請求項３１】
前記近位開口に交差する中心軸を有している前記部材の前記遠位端は、鳩目からなっている請求項１に記載のインプラント。
【請求項３２】
前記耐伸張性部材は、結び付けで前記鳩目へ接続されている請求項３１に記載のインプラント。
【請求項３３】
前記結び付けは、半結びまたはひっかけ結びである請求項３２に記載のインプラント。
【請求項３４】
前記係合部分は、化学的取り外し、電気分解的取り外し、機械的取り外し、油圧式取り外し、または熱的取り外しによって、ポジショナーから係合解除可能である請求項１に記載のインプラント。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
患者の顎骨内に歯科用インプラントを設置する際に使用される歯科用ステントの製造方法であって、
ａ）患者の口腔内に挿入される補綴物、または患者の上顎骨若しくは下顎骨の少なくとも一部の印象材を準備する工程と、
ｂ）前記補綴物または印象材を少なくとも１つのマーカーでラベルする工程と、
ｃ）患者の口腔内の前記補綴物または印象材の走査を行って、患者の顎骨に関連して少なくとも１つの前記マーカーを記録している装着された前記補綴物または印象材のデータを集める工程と、
ｄ）患者の口腔から分離した補綴物または印象材の走査を行って、非装着の前記補綴物または印象材のデータを集める工程と、
ｅ）装着および非装着の前記補綴物または印象材のデータを使用して、歯科用ステントのバーチャルデザインを製造する工程であって、該歯科用ステントのバーチャルデザインが、患者の顎骨内に歯科用インプラントを設置するための処置計画を具体化する工程と、
ｆ）前記バーチャルデザインを、使用可能な歯科用ステントに変える工程と、
を含む、方法。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
流体塊の波エネルギーの収集および変換のための装置であって、当該装置は、フレーム（１）を有し、該フレームは、ヒンジ（２）で連結され傾斜または回転する面（３）を少なくとも１つ含んでおり、該面は、パネルまたは帆の形態になっている障壁であって、フレーム（１）内での傾斜運動または回転運動を介して、通過する波の圧力面からエネルギーを収集するためのものであり、
ヒンジ（２）は、通過する波の谷における流体の表面より下に位置し、前記障壁（３）は、傾斜運動または回転運動を異なるタイプのエネルギーに変換できる機器に接続され、
前記障壁（３）は、海底に向いた下方を指す方向から、上方を指す鉛直に直立したポジションまで、ヒンジ（２）の周りを回転するように該障壁（３）を持ち上げるのに過不足ない大きさの浮力を提供するように構成されており、
該障壁が、フレーム中で３６０°にわたって回転することが可能であり、
ヒンジ（２）は、傾斜解放機構に取り付けられ、該傾斜解放機構は、障壁（３）がヒンジ（２）の周りを自由に回転することができるようにヒンジ（２）を解放するものであり、該傾斜解放機構は、当該装置を通過する波からの力が予め定められた限度を越えたときに解放されるものである、
前記装置。
【請求項２】
フレームおよび／または障壁が、通過する波の圧力面を傾斜する障壁（３）の方へと向わせるための、鉛直に配置される側壁（４）を有する、請求項１記載の装置。
【請求項３】
傾斜または回転する障壁（３）が、通過する波の表面をその波の山頂において壊すような深さに、当該装置が配置される、請求項１または２記載の装置。
【請求項４】
障壁の面積が調節可能である、請求項１〜３のいずれか１項記載の装置。
【請求項５】
流体塊から波エネルギーを収集するためのシステムであって、請求項１〜４のいずれか１項記載の装置を有する、前記システム。
【請求項６】
熱を生成するための、請求項１〜４のいずれか１項記載の装置の、または、請求項５記載のシステムの、使用。
【請求項７】
流体塊の水平に移動する圧力波からの波エネルギーの収集および変換のための装置であって、当該装置は、フレーム（１）を有し、該フレームは、ヒンジ（２）で連結され傾斜または回転する面（３）を少なくとも１つ含んでおり、該面は、パネルまたは帆の形態になっている障壁であって、フレーム（１）内での傾斜運動または回転運動を介して、通過する波の圧力面からエネルギーを収集するためのものであり、
ヒンジ（２）は、通過する波の谷における流体の表面より下に位置し、前記障壁（３）は、傾斜運動または回転運動を異なるタイプのエネルギーに変換できる機器に接続され、かつ、
フレームおよび／または障壁が、通過する波の圧力面を、傾斜する障壁（３）の方へと向かわせるための鉛直に配置される側壁（４）を有し、
前記障壁（３）は、海底に向いた下方を指す方向から、上方を指す鉛直に直立したポジションまで、ヒンジ（２）の周りを回転するように該障壁（３）を持ち上げるのに過不足ない大きさの浮力を提供するように構成されており、かつ、
該障壁が、フレーム中で３６０°にわたって回転することが可能である、
前記装置。
【請求項８】
障壁の面積が調節可能である、請求項７記載の装置。
【請求項９】
流体塊から波エネルギーを収集するためのシステムであって、請求項７〜８のいずれか１項記載の装置を有する、前記システム。
【請求項１０】
熱を生成するための、請求項７〜８のいずれか１項記載の装置の、または、請求項９記載のシステムの、使用。
【請求項１１】
障壁（３）のヒンジ（２）が、流体中で鉛直に配置される、請求項１〜４のいずれか１項または７〜８のいずれか１項記載の装置。
【請求項１２】
障壁が上に向いて鉛直に直立したポジションにあるときに、ヒンジ（２）が、該障壁の下端にあるように構成されている、請求項１１記載の装置。
【請求項１３】
ヒンジ（２）が傾斜解放機構に取り付けられ、該傾斜解放機構は、障壁（３）がヒンジ（２）の周りを自由に回転することができるようにヒンジ（２）を解放するものであり、該傾斜解放機構は、当該装置を通過する波からの力が予め定められた限度を越えたときに解放されるものである、請求項７〜８のいずれか１項記載の装置。
【請求項１４】
障壁（３）が、該障壁（３）に必要な浮力を提供する少なくとも１つの浮き部材に取り付けられている、請求項１〜４のいずれか１項または７〜８のいずれか１項記載の装置。
【請求項１５】
障壁（３）が、該障壁（３）に必要な浮力を提供する中空体として備えられている、請求項１〜４のいずれか１項または７〜８のいずれか１項記載の装置。
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
哺乳動物の炎症性腸疾患(ＩＢＤ)を検出する方法であって、(ａ)前記哺乳動物から採取した組織又は細胞の試験試料中及び、(ｂ)コントロール試料中における、ＬＹ６ポリペプチドをコードする遺伝子の発現レベルを検出することを含み、このとき試験試料中におけるＬＹ６核酸又はポリペプチドの発現レベルがコントロール試料と比較して高い場合に、試験試料を採取した哺乳動物にＩＢＤの存在が示される方法。
【請求項２】
試験試料の組織又は細胞が哺乳動物の消化管に由来する、請求項１に記載の方法。
【請求項３】
試験試料の組織又は細胞が哺乳動物の大腸に由来する、請求項２に記載の方法。
【請求項４】
コントロール試料が、同じ組織起源又は種類の、正常な非ＩＢＤ組織又は細胞の試料であるか、その発現レベルが平均化されている同じ組織起源又は種類の非ＩＢＤ組織又は細胞の複数の試料であるか、或いは同じ種の健常な正常組織の複数の試料における遺伝子発現を呈するユニバーサルコントロールである、請求項１に記載の方法。
【請求項５】
試験試料の組織又は細胞が炎症性である、請求項１に記載の方法。
【請求項６】
試験試料の組織又は細胞が炎症性でない、請求項１に記載の方法。
【請求項７】
(ａ)ＬＹ６ポリペプチド又はその断片をコードするポリヌクレオチドに特異的に結合する検出可能な薬剤に試験試料を接触させ、
(ｂ)検出可能な薬剤にコントロール試料を接触させ、
(ｃ)試験試料及びコントロール試料のポリヌクレオチドと薬剤との複合体の形成を検出することを含み、
このとき試験試料における複合体の形成がコントロール試料と比較して少ない場合に、哺乳動物にＩＢＤの存在が示される、請求項１に記載の方法。
【請求項８】
ポリヌクレオチドが、配列番号８、９、１、３、４、又は６の核酸配列、又は配列番号８、９、１、３、４又は６の少なくとも１５の近接するヌクレオチドを含むその断片を含んでなる、請求項７に記載の方法。
【請求項９】
試験試料の組織又は細胞が哺乳動物の消化管に由来する、請求項７に記載の方法。
【請求項１０】
試験試料の組織又は細胞が哺乳動物の大腸に由来する、請求項９に記載の方法。
【請求項１１】
コントロール試料が、同じ組織起源又は種類の正常な非ＩＢＤ組織又は細胞の試料であるか、その発現レベルが平均化されている同じ組織起源又は種類の非ＩＢＤ組織又は細胞の複数の試料であるか、或いは同じ種の健常な正常組織の複数の試料における遺伝子発現を呈するユニバーサルコントロールである、請求項１０に記載の方法。
【請求項１２】
薬剤が、配列番号８、９、１、３、４又は６を有するポリヌクレオチドにハイブリダイズする第２のポリヌクレオチド、又はその相補鎖である、請求項７に記載の方法。
【請求項１３】
第２のポリヌクレオチドが検出可能な標識又は固体支持体に付着された標識を含む、請求項１２に記載の方法。
【請求項１４】
検出可能な標識が直接的に検出可能である、請求項１３に記載の方法。
【請求項１５】
検出可能な標識が間接的に検出可能である、請求項１４に記載の方法。
【請求項１６】
検出可能な標識が蛍光標識である、請求項１２に記載の方法。
【請求項１７】
インサイツハイブリダイゼーションアッセイである、請求項７に記載の方法。
【請求項１８】
リアルタイムポリメラーゼ連鎖反応(ＲＴ−ＰＣＲ)アッセイである、請求項７に記載の方法。
【請求項１９】
(ａ)ＬＹ６ポリペプチド又はその断片に特異的に結合する検出可能な薬剤に試験試料を接触させ、
(ｂ)検出可能な薬剤にコントロール試料を接触させ、
(ｃ)試験試料及びコントロール試料のポリペプチドと薬剤との複合体の形成を検出することを含み、
このとき試験試料における複合体の形成がコントロール試料と比較して少ない場合に、哺乳動物にＩＢＤの存在が示される、請求項１に記載の方法。
【請求項２０】
ＬＹ６ポリペプチドが、配列番号１０、２、５又は７、又は配列番号１０、２、５又は７の少なくとも１０の近接するアミノ酸を含むその断片を含んでなる、請求項１９に記載の方法。
【請求項２１】
試験試料の組織又は細胞が哺乳動物の消化管に由来する、請求項１９に記載の方法。
【請求項２２】
試験試料の組織又は細胞が哺乳動物の大腸に由来する、請求項２１に記載の方法。
【請求項２３】
試験試料の組織又は細胞が炎症性である、請求項７又は１９に記載の方法。
【請求項２４】
試験試料の組織又は細胞が炎症性でない、請求項７又は１９に記載の方法。
【請求項２５】
薬剤が抗体又はその結合断片である、請求項１９に記載の方法。
【請求項２６】
抗体又はその結合断片が検出可能な標識を含む、請求項２５に記載の方法。
【請求項２７】
検出可能な標識が直接的に検出可能である、請求項２６に記載の方法。
【請求項２８】
検出可能な標識が間接的に検出可能である、請求項２６に記載の方法。
【請求項２９】
検出可能な標識が蛍光標識であるか、放射性標識である、請求項２６に記載の方法。
【請求項３０】
組織又は細胞の試験試料が、ＩＢＤに罹患していることが疑われる哺乳動物から採取される、請求項１、７又は１９に記載の方法。
【請求項３１】
組織又は細胞の試験試料が、潰瘍性大腸炎(ＵＣ)に罹患していることが疑われる哺乳動物から採取される、請求項１、７又は１９に記載の方法。
【請求項３２】
哺乳動物の組織又は細胞が治療剤と接触されており、このときＬＹ６の発現レベルによって、哺乳動物の組織又は細胞における治療剤への応答の有無が示される、請求項１、７又は１９に記載の方法。
【請求項３３】
哺乳動物の組織又は細胞が治療剤と接触されており、このとき検出が二回目又はそれ以降の検出であり、ＬＹ６発現のレベルによって、哺乳動物の組織又は細胞における治療剤への応答の有無が示される、請求項１、７又は１９に記載の方法。
【請求項３４】
試験試料中におけるＬＹ６の発現の増加が、コントロール試料の少なくとも１．５倍、少なくとも２倍、少なくとも３倍、少なくとも５倍、少なくとも６倍、少なくとも７倍、少なくとも８倍、少なくとも９倍、又は少なくとも１０倍である、請求項１、７又は１９に記載の方法。
【請求項３５】
哺乳動物の組織又は細胞の試験試料におけるＬＹ６の発現の検出のためのキットであり、
(ａ)少なくとも一のＬＹ６検出用薬剤を含む組成物を内包する容器と、
(ｂ)該容器上又は該容器に添付されるラベル又はパッケージ挿入物と
を具備するキット。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
第一のプローブ；
第一のプローブに結合した第一のイニシエータ構成成分；
第二のプローブ；および
第二のプローブに結合した第二のイニシエータ構成成分；
を含む組成物であって、
ここで第一のプローブおよび第二のプローブは、一つの分析対象物に結合することができ、そして
第一のイニシエータ構成成分および第二のイニシエータ構成成分は、互いに近くに存在する場合そして第一のプローブおよび第二のプローブが分析対象物に対して結合する場合、イニシエータを形成することができる、
前記組成物。
【請求項２】
イニシエータが調節された重合反応を開始することができる、請求項1に記載の組成物。
【請求項３】
分析対象物をさらに含み、ここで第一のプローブおよび第二のプローブがその分析対象物に対して結合する、請求項1または2に記載の組成物。
【請求項４】
ポリマー前駆体を含み、イニシエータがポリマー前駆体の重合反応を開始することができる、請求項3に記載の組成物。
【請求項５】
請求項4に記載の組成物の反応生成物を含む、組成物。
【請求項６】
直鎖ポリマーまたは分岐鎖ポリマーをさらに含む、請求項5に記載の組成物。
【請求項７】
ポリマーが単峰型分子量分布を有する、請求項6に記載の組成物。
【請求項８】
第一のプローブおよび第二のプローブが独立して1またはそれ以上の核酸、タンパク質、糖、脂質、糖質、ビタミン、酵素、または酵素基質を含む、請求項1〜7のいずれか1項に記載の組成物。
【請求項９】
請求項1に記載の組成物を分析対象物に接触させて、複合体を形成すること；ここで、この複合体が互いに近くに存在する第一のイニシエータ構成成分および第二のイニシエータ構成成分を含み；
第一のイニシエータ構成成分および第二のイニシエータ構成成分からイニシエータを形成し；そして
複合体を少なくとも一つのポリマー前駆体と接触させる；
ことを含む方法。
【請求項１０】
ポリマー前駆体からポリマーを形成することをさらに含む、請求項9に記載の方法。
【請求項１１】
ポリマーからのシグナルを観察することをさらに含む、請求項10に記載の方法。
【請求項１２】
ポリマーを1またはそれ以上のシグナルジェネレータと接触させ、その後シグナルを観察することをさらに含む、請求項11に記載の方法。
【請求項１３】
シグナルと、分析対象物のタイプ、分析対象物の量、または分析対象物のタイプと量の両方とを相関させることをさらに含む、請求項11に記載の方法。
【手続補正書】
【提出日】平成23年3月16日(2011.3.16)
【手続補正１】
【補正対象書類名】明細書
【補正対象項目名】００１４
【補正方法】変更
【補正の内容】
【００１４】
【図１】病院で集中治療に入った９０人の成人患者由来の尿および血漿の４５８組のサンプルにおいて、急性腎不全を引き起こす腎傷害の診断に関する、尿：血漿のＮＧＡＬ濃度比についての、受診者動作特性(ＲＯＣ)曲線。
【図２】軽度の腎傷害を発症している患者における、尿：血漿のＮＧＡＬ濃度比の時間経過(図２ａ)および尿と血漿のＮＧＡＬ濃度(図２ｂ)。５日目で、尿：血漿のＮＧＡＬ濃度比は、約１であったが、その翌日に２より上まで上がった。その比のカットオフ値は０.７３と示されている(図２ａ)。尿中および血漿中のＮＧＡＬの絶対濃度は、試験した患者について、これらの体液の何れにおいてもＮＧＡＬ濃度についてのＡＲＦの指標であると決定された３５５ng/mlのカットオフ値を超えていなかった(図２ｂ)。血漿クレアチニン(示さず)は、５日目および６日目で正常値の上限を超え、８日目、すなわち尿：血漿のＮＧＡＬ濃度比のピーク後４８時間でピークとなった。
【図３】ＡＲＦに罹患していない患者における、尿：血漿のＮＧＡＬ濃度比(図３ａ)および尿と血漿のＮＧＡＬ濃度(図３ｂ)。併発状態(腸穿孔および腹膜炎)は、３５５ng/mlのカットオフ値よりかなり高い血漿ＮＧＡＬ濃度を与え(図３ｂ)、それにより、この患者群は独立してＡＲＦとの診断になり得るが、尿：血漿のＮＧＡＬ比は、０.７３の比についてのカットオフ値より低いままである(図３ａ)という事実により、ＮＧＡＬが腎臓由来ではないことが実証された。血漿クレアチニン(示さず)は低く、正常範囲内であった。
【図４】敗血症による腎傷害の典型的なエピソードを有する患者における、尿：血漿のＮＧＡＬ濃度比の時間経過(図４ａ)および尿と血漿のＮＧＡＬ濃度(図４ｂ)。尿：血漿のＮＧＡＬ濃度比は、１日目から３日目の正常値から、４日目でカットオフ値０.７３を超え(図４ａ)、５日目でピークとなったが、血漿クレアチニン(示さず)は６日目でピークとなった。尿のＮＧＡＬ濃度が独立してＡＲＦと診断されるに至ったが、血漿のＮＧＡＬ濃度は、試験された患者群について決定された３５５ng/mlのカットオフ値を超えず、独立してＡＲＦと診断されなかった(図４ｂ)。
【図５】ＡＲＦを発症しなかった患者における、尿：血漿のＮＧＡＬ濃度比の時間経過(図５ａ)および尿と血漿のＮＧＡＬ濃度(図５ｂ)。該患者には、肺炎および脱水症状が認められ、その結果、０日目での血漿のＮＧＡＬ濃度が予め決定されたカットオフ値３５５ng/mlよりも高く、この患者群は独立して実際にＡＲＦであるまたは直ぐにそれを発症しそうであると診断されていた。しかし、尿：血漿のＮＧＡＬ濃度比はカットオフ値０.７３よりも低かったことによって、この診断は否定された(図５ａ)。血漿クレアチニン(示さず)は、０日目で正常値の上限よりも低く、その後も低い基底値であった。
【手続補正２】
【補正対象書類名】明細書
【補正対象項目名】００２７
【補正方法】変更
【補正の内容】
【００２７】
従って、それより高い尿：血漿のＮＧＡＬ濃度比であればＡＲＦまたはＡＲＤと予測されるカットオフ値は、好ましくは、０.３０以上であり、例えば０.３３であるか、または０.３３以上０.７３以下の何れかの値であり、後者の値では、診断感受性、診断特異性、陽性予測値および陰性予測値が、全て９５％より高い。あるいは、該カットオフ値は、０.７３以上１.１４以下の何れかの値であり、この値では、陽性予測値が１００％である。あるいは、該カットオフ値は、１.１４より高い何れかの値であり、その全ての値で、陽性予測値が１００％である。
【手続補正３】
【補正対象書類名】明細書
【補正対象項目名】００３９
【補正方法】変更
【補正の内容】
【００３９】
尿：血漿のＮＧＡＬ濃度比に関する診断能力は、図１に示したＲＯＣ曲線をプロットすることによって決定した。曲線下面積は０.９９１であり、カットオフ値、すなわちそれより高い尿：血漿のＮＧＡＬ濃度比であれば実際にＡＲＦまたはＡＲＤであるまたはそれを直ぐに発症しそうであると診断される値は、最も良好な総合的診断能特性で、０.７３であると決定された。このカットオフ値では、診断感受性は９６.３％であり、診断特異性は、９７.４％であり、陽性予測値は９６.３％であり、陰性予測値は９７.４％であった。しかし、他を犠牲にして特定の診断性能特性を改善するために、他のカットオフ値を選択することも可能である。例えば、カットオフ値０.３３、すなわちＡＲＦまたはＡＲＤを有する患者で観察された最小値の比では、１００％の診断感受性および陰性予測値が得られるが、診断特異性は７７.１％に低下し、陽性予測値は７５.９％に低下した。カットオフ値１.１４、すなわちＡＲＦまたはＡＲＤを有さない患者で観察された最大値の比では、１００％の陽性予測値および診断特異性が得られるが、陰性予測値は９２.７％であり、診断感受性は８９.１％であった。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
光信号から目標スペクトル成分を除去するカスケードノッチフィルタシステムであって、
互いに非平行なカスケードの形に構成された多重ノッチフィルタを含み、前記多重ノッチフィルタのそれぞれは、スペクトルフィルタリング特性を有し、前記光信号がその対応する前記ノッチフィルタの垂線に対してあるフィルタ角度を形成するように前記光信号の経路内に配置され、前記スペクトルフィルタリング特性及び前記フィルタ角度は、前記光信号が前記ノッチフィルタ中を通るときに適切なブラッグ条件が目標スペクトル成分に関して満たされ、前記目標スペクトル成分が前記光信号からフィルタ除去されるように、各ノッチフィルタに対して一緒に選択されることを特徴とするカスケードノッチフィルタシステム。
【請求項２】
前記フィルタリング特性及び前記フィルタ角度は、前記カスケードの連続したノッチフィルタでそれぞれ異なることを特徴とする請求項１に記載のカスケードノッチフィルタシステム。
【請求項３】
前記フィルタリング特性及び前記フィルタ角度は、前記カスケードの連続したノッチフィルタで同じであり、前記連続したノッチフィルタは互いに非平行に延びることを特徴とする請求項１に記載のカスケードノッチフィルタシステム。
【請求項４】
前記多重ノッチフィルタのそれぞれは、体積位相ホログラフィックノッチフィルタであることを特徴とする請求項１に記載のカスケードノッチフィルタシステム。
【請求項５】
前記体積位相ホログラフィックノッチフィルタは感光ガラス材料を含むことを特徴とする請求項４に記載のカスケードノッチフィルタシステム。
【請求項６】
前記システムによってフィルタ除去される前記目標スペクトル成分を調整するための調整手段をさらに含み、前記調整手段は、前記多重ノッチフィルタのすべてのフィルタ角度を保持して一緒に調整するためのホルダを含むことを特徴とする請求項１に記載のカスケードノッチフィルタシステム。
【請求項７】
前記多重ノッチフィルタの連続したノッチフィルタの間にサンドイッチされた屈折率整合プリズムをさらに含むことを特徴とする請求項１に記載のカスケードノッチフィルタシステム。
【請求項８】
前記光信号に対して垂直の入口面を形成するために前記ノッチフィルタのカスケードの前に位置決めされた第１のプリズムと、前記ノッチフィルタのカスケードの出口の前記光信号が確実に前記ノッチフィルタのカスケードの入口の前記光信号と平行になるようにするために、前記ノッチフィルタのカスケードの後に配置された最後のプリズムとをさらに含むことを特徴とする請求項１に記載のカスケードノッチフィルタシステム。
【請求項９】
前記ノッチフィルタのカスケードを封止する、屈折率整合液で満たされたケースをさらに含むことを特徴とする請求項１に記載のカスケードノッチフィルタシステム。
【請求項１０】
光信号から目標スペクトル成分を除去するマルチパスノッチフィルタシステムであって、
スペクトルフィルタリング特性を有し、体積位相ホログラフィックノッチフィルタであるノッチフィルタと、
前記光信号を前記ノッチフィルタに通して複数経路に導くための光学アセンブリとを備え、前記光学アセンブリは、ノッチフィルタの両側に配置された１対のプリズムキューブコーナを含み、前記光学アセンブリは、前記複数経路のそれぞれで、前記ノッチフィルタの垂線に対して同じフィルタ角度で前記光ビームを前記ノッチフィルタ上に導き、前記スペクトルフィルタリング特性及び前記フィルタ角度は、前記光信号が前記ノッチフィルタ中を通過するときに適切なブラッグ条件が前記目標スペクトル成分に関して満たされ、前記目標スペクトル成分が前記光信号からフィルタ除去されるように、一緒に選択されることを特徴とするマルチパスノッチフィルタシステム。
【請求項１１】
前記ノッチフィルタ及び前記光学アセンブリを封止する耐漏洩隔室をさらに含み、前記耐漏洩隔室は、前記光信号を受け取ってフィルタリングされた前記光信号を出力するための２つの平行な透明壁を含み、屈折率整合液で満たされることを特徴とする請求項１０に記載のマルチパスノッチフィルタシステム。
【請求項１２】
前記ノッチフィルタをその上に取り付け、前記ノッチフィルタを前記光信号の経路内に位置決めするために前記ノッチフィルタの回転軸を中心に前記ノッチフィルタを回転させるための回転フィルタマウントをさらに含むことを特徴とする請求項１０に記載のマルチパスノッチフィルタシステム。
【請求項１３】
追加のノッチフィルタと、前記ノッチフィルタ及び前記追加のノッチフィルタをその上に取り付け、前記光信号の経路内で前記ノッチフィルタのうちの１つを動かすための回転フィルタマウントとをさらに含むことを特徴とする請求項１０に記載のマルチパスノッチフィルタシステム。
【手続補正２】
【補正対象書類名】明細書
【補正対象項目名】００１５
【補正方法】変更
【補正の内容】
【００１５】
本発明の一態様によれば、光信号から目標スペクトル成分を除去するカスケードノッチフィルタシステムが提供される。このカスケードノッチフィルタシステムは、互いに非平行なカスケードの形に構成された多重ノッチフィルタを含み、これらの多重ノッチフィルタのそれぞれが、スペクトルフィルタリング特性を有し、光信号がその対応するノッチフィルタの垂線に対してあるフィルタ角度を形成するように光信号の経路内に配置され、これらのスペクトルフィルタリング特性及びフィルタ角度は、光信号がノッチフィルタ中を通るときに適切なブラッグ条件が目標スペクトル成分に関して満たされるように、及び目標スペクトル成分が光信号からフィルタ除去されるように、各ノッチフィルタに対して一緒に選択される。
【手続補正３】
【補正対象書類名】明細書
【補正対象項目名】００２１
【補正方法】変更
【補正の内容】
【００２１】
本発明の別の態様によれば、光信号から目標スペクトル成分を除去するマルチパスノッチフィルタシステムが提供される。このマルチパスノッチフィルタシステムは、
スペクトルフィルタリング特性を有し、体積位相ホログラフィックノッチフィルタであるノッチフィルタと、
光信号をノッチフィルタに通して複数経路に導くための光学アセンブリとを含み、前記光学アセンブリは、ノッチフィルタの両側に配置された１対のプリズムキューブコーナを含み、複数経路のそれぞれで、ノッチフィルタの垂線に対して同じフィルタ角度で光ビームをノッチフィルタ上に導き、これらのスペクトルフィルタリング特性及びフィルタ角度は、光信号がノッチフィルタ中を通過するときに適切なブラッグ条件が目標スペクトル成分に関して満たされるように、及び目標スペクトル成分が光信号からフィルタ除去されるように、一緒に選択される。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
衝撃装置及び回転モーメントを提供する回転モータを備えた送りビーム（３）上で前後に移動可能な削岩機（２）の動力供給制御方法であって、
回転モーメントに関するパラメータが監視され、
動力供給が、パラメータの値の変動に応じた流量制御によって制御され、
動力供給を提供する流体モータ手段への供給流量が、第一レベルより高い回転モーメントの増加に対応するパラメータ値の変化に比例して低減させられる
動力供給制御方法において、
第一レベルより低い回転モーメントに対応するパラメータ値に対して、動力供給が、パラメータの値の変動に応じて圧力制御によって制御され、
前記流体モータ手段への供給圧力が、回転モーメントの増加に対応するパラメータ値の変化に比例して低減させられる
ことを特徴とする動力供給制御方法。
【請求項２】
供給圧力が、第一レベルより低い回転モーメントに対応するパラメータ値の変化に比例して低減又は増加させられる
ことを特徴とする請求項１に記載の方法。
【請求項３】
供給流量が、第一レベルより高い回転モーメントに対応するパラメータ値の変化に比例して低減又は増加させられる
ことを特徴とする請求項１又は２に記載の方法。
【請求項４】
回転モーメントに関連する前記パラメータが、回転圧力、回転子変換機における感知モーメント及び回転速度のグループの中の何れか一つである
ことを特徴とする請求項１〜３の何れか一項に記載の方法。
【請求項５】
前記パラメータが回転圧力である場合において、
アイドル回転圧力と回転圧力目標値との間の通常掘削に対応する回転圧力の値に対しては、動力供給制御が行われず、供給圧力及び供給流量が一定に保持される
ことを特徴とする請求項１〜４の何れか一項に記載の方法。
【請求項６】
衝撃装置及び回転モーメントを提供する回転モータを備えた送りビーム（３）上で前後に移動可能な削岩機（２）の動力供給制御装置であって、
回転モーメントに関するパラメータが監視する監視手段と、
動力供給を提供する流体モータ装置への供給流量を、第一レベルより高い回転モーメントの増加に対応するパラメータ値の変化に比例して低減させることによって、パラメータの値の変動に応じて動力供給を制御する流量制御手段と
を備えた動力供給制御装置において、
第一レベルより低い回転モーメントに対応するパラメータ値に対して、パラメータの値の変動に応じて動力供給を制御する圧力制御手段を備え、
前記流体モータ手段への供給圧力を、回転モーメントの増加に対応するパラメータ値の変化に比例して低減する
ことを特徴とする動力供給制御装置。
【請求項７】
前記流量制御手段が、第二レベルより高い回転モーメントに対応するパラメータ値に対する、後方への動力供給に対応するマイナス値を負うために供給流量を低減するように構成されている
ことを特徴とする請求項６に記載の装置。
【請求項８】
第三レベルより高い回転モーメントに対応するパラメータ値の時に、起動させられるように構成されたプリセット削岩機パラメータを有するドリルスタック保護機能を備えている
ことを特徴とする請求項６又は７に記載の装置。
【請求項９】
前記パラメータが回転圧力である場合において、
アイドル回転圧力と回転圧力目標値との間の通常掘削に対応する回転圧力の値に対しては、調整を行わず、供給圧力及び供給流量を一定に保持する手段を備えている
ことを特徴とする請求項６〜８の何れか一項に記載の方法。
【請求項１０】
請求項６〜９の何れか一項に係る装置を備えていることを特徴とする削岩機。
【請求項１１】
請求項１０による削岩機を備えていることを特徴とする削岩リグ。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
少なくとも１つのロータブレード（１０）と、ハブ（１２）と、ギアボックス（３２）を収納するギアボックス筐体（１８）と、発電機（３４）を収納する発電機筐体（２０）と、ヘッド支持体（２２）と、タワー（１４）と、該ヘッド支持体を該タワー（１４）上で回転可能に支持するアジマスベアリング（４２）とを有する風力タービンであって、
該ロータベアリング（１６）、該ギアボックス筐体（１８）及び該発電機筐体（２０）は、該ハブ（１２）と該ヘッド支持体（２２）との間に配置されており、荷重伝達構成部品として設計され、且つねじ接続部（５４、３８）を介して互いに接合されていることを特徴とする、風力タービン。
【請求項２】
該ギアボックス筐体（１８）及び該発電機筐体（２０）は別個の筐体であることを特徴とする、請求項１に記載の風力タービン。
【請求項３】
該ギアボックス筐体（１８）及び該発電機筐体（２０）はおおよそ同じ外径を有することを特徴とする、請求項２に記載の風力タービン。
【請求項４】
該ロータベアリング（１６）は、該ギアボックス筐体（１８）の正面に直接ねじ留めされているスラストベアリングであることを特徴とする、請求項１〜３のいずれか１項に記載の風力タービン。
【請求項５】
該ギアボックス（３２）は２段遊星ギアボックスであることを特徴とする、請求項１〜４のいずれか１項に記載の風力タービン。
【請求項６】
該発電機（３４）は永久界磁同期発電機であることを特徴とする、請求項１〜５のいずれか１項に記載の風力タービン。
【請求項７】
該ギアボックス筐体（１８）及び／又は該発電機筐体（２０）には外方に面する冷却リブが設けられていることを特徴とする、請求項１〜６のいずれか１項に記載の風力タービン。
【請求項８】
ラビリンスグラントとして設計されているギアボックスシールが設けられていることを特徴とする、請求項１〜７のいずれか１項に記載の風力タービン。
【請求項９】
該発電機（３４）、水冷ジャケット（３６）は該発電機筐体（２０）内に一体化されていることを特徴とする、請求項１〜８のいずれか１項に記載の風力タービン。
【請求項１０】
アジマスベアリング（４２）、サーボドライブ（４４）から成る風向追跡ユニット、垂直ブレーキ（４０）、ギアボックス用の油溜め（４６）、並びに該ギアボックス（３２）及び該発電機（３４）の該冷却器（４８）は、該ヘッド支持体（２２）内に配置されていることを特徴とする、請求項１〜９のいずれか１項に記載の風力タービン。
【請求項１１】
該ギアボックス（３２）及び該発電機（３４）の中心を通り、該ロータの速度で回転すると共に該ブレードを調節する給電ラインを収容するパイプ（７０）を特徴とする、請求項１〜１０のいずれか１項に記載の風力タービン。
【請求項１２】
該発電機筐体（１８）、該ギアボックス筐体（２０）、及び該ヘッド支持体（２２）は耐候性設計であることを特徴とする、請求項１〜１１のいずれか１項に記載の風力タービン。
【手続補正２】
【補正対象書類名】明細書
【補正対象項目名】００１６
【補正方法】変更
【補正の内容】
【００１６】
ハブ１２は、ねじ接続部５２によって第１のギア段のリングギア２４に接続されている（図２）。このリングギア２４は、ロータベアリング１６の内側リング内に押込められており、永久的に接続されている。ロータベアリング１６の外側リング３０は、ねじ５４によってギアボックス筐体１８に永久的に接続されており、このギアボックス筐体１８を介して発電機筐体２０に接続されている。ラビリンスグランド（labyrinth gland）５０が外部に対して（toward）ギアボックス３２をシールする。第１のギア段の遊星ギア５６は、球面滑りベアリング２６によって支持されている。これらの滑りベアリング２６は、ベアリングジャーナル２８によってギアボックス筐体１８に固定されている。遊星ギア５６は、サンホイール５８にトルクを伝達する。螺旋状の歯部がサンホイール内の中心に嵌まっており、中間シャフト６０にトルクを伝達する。この中間シャフト６０はさらに、第２の遊星段の遊星キャリア６２に挿入されている。この第２の遊星段３２は同様に、ギアボックス筐体１８内に一体化されており、伝動軸６６を使用してサンホイールを駆動する。この伝動軸６６は、螺旋状の歯部によって、トルクに関して発電機駆動フランジ６８に接続されている。発電機３４は、発電機筐体２０内に嵌め込まれ水冷ジャケット３６が設けられている永久界磁同期発電機（permanent-field synchronous generator）として設計されている。冷却回路は送出ポンプ６４によって動作し、排熱は冷却器４８によって外気へ運ばれる。発電機筐体２０は、ねじ接続部３８によってヘッド支持体２２に接続されている。ヘッド支持体２２は、風向追跡ユニットのサーボユニット４４、垂直ブレーキ４０、ギアボックス及び発電機の冷却器４８、フィルタ及び循環ポンプを有するギアボックス用の油溜め４６、並びに発電機の冷却剤回路の循環ポンプ６４を含む。中央パイプ７０が２つのギア段及び発電機の中心を通っており、ロータブレードを調節する電源が中央パイプ７０内に設置されている。回転伝達（transfer）ジョイント又はスリップリング７２が、必要な動力をヘッド支持体２２の固定部から回転ハブ１２に伝達する。